(57)【特許請求の範囲】
【請求項１】
圧縮機と燃焼器とタービンを有するガスタービンと、
前記ガスタービンからの排気ガスの排熱により蒸気を生成する排熱回収ボイラと、
前記排熱回収ボイラにより生成された蒸気により駆動する蒸気タービンと、
前記排熱回収ボイラにおける節炭器を迂回して復水を下流側に流すバイパスラインと、
前記バイパスラインに設けられる開閉弁と、
大気温度の運転範囲で予め設定された所定温度よりも高いときに前記開閉弁を開放すると共に前記大気温度の運転範囲における一部の領域のみで前記開閉弁の開度を調整する制御装置と、
を備えることを特徴とするコンバインドサイクルプラント。
【請求項２】
前記制御装置は、前記大気温度の上昇に応じて前記開閉弁の開度を大きくすることを特徴とする請求項１に記載のコンバインドサイクルプラント。
【請求項３】
前記節炭器を通過した復水の一部を前記節炭器の上流側に戻す再循環ラインが設けられ、前記バイパスラインは、前記再循環ラインによる復水の戻り位置より上流側と前記再循環ラインによる復水の取込位置より下流側とを接続することを特徴とする請求項１または請求項２に記載のコンバインドサイクルプラント。
【請求項４】
前記節炭器に流入する復水の温度を検出する復水温度検出器が設けられ、前記制御装置は、前記大気温度が前記所定温度よりも高いときに、前記復水温度検出器が検出した復水温度に応じて前記再循環ラインにより戻す復水の流量を増やすように調整することを特徴とする請求項３に記載のコンバインドサイクルプラント。
【請求項５】
前記節炭器に流入する復水の流量を検出する復水流量検出器が設けられ、前記制御装置は、前記大気温度が前記所定温度よりも高いときに、前記復水流量検出器が検出した復水流量に応じて前記再循環ラインにより戻す復水の流量を増やすように調整することを特徴とする請求項３に記載のコンバインドサイクルプラント。
【請求項６】
ガスタービンと排熱回収ボイラと蒸気タービンとを備えるコンバインドサイクルプラントにおいて、
前記排熱回収ボイラにおける節炭器を迂回して復水を流すバイパスラインと、
前記バイパスラインに設けられる開閉弁とが設けられ、
大気温度の運転範囲で予め設定された所定温度よりも高いときに前記開閉弁を開放すると共に前記大気温度の運転範囲における一部の領域のみで前記開閉弁の開度を調整する、
ことを特徴とするコンバインドサイクルプラントの制御装置。
【請求項７】
ガスタービンと排熱回収ボイラと蒸気タービンとを備えるコンバインドサイクルプラントにおいて、
大気温度の運転範囲で予め設定された所定温度よりも高いときに復水を前記排熱回収ボイラにおける節炭器を迂回して流すと共に前記大気温度の運転範囲における一部の領域のみで復水の迂回量を調整する、
ことを特徴とするコンバインドサイクルプラントの運転方法。
【発明の詳細な説明】
【技術分野】
【０００１】
本発明は、ガスタービンと排熱回収ボイラと蒸気タービンを備えるコンバインドサイクルプラント、コンバインドサイクルプラントの制御装置、このコンバインドサイクルプラントの運転方法に関するものである。
【背景技術】
【０００２】
コンバインドサイクル発電は、まず、天然ガスなどを燃料としてガスタービンを駆動して１回目の発電を行い、次に、排熱回収ボイラがガスタービン排気ガスの持つエネルギーを回収して蒸気を生成し、この蒸気により蒸気タービンを駆動して２回目の発電を行うものであり、コンバインドサイクルプラントは、このコンバインドサイクル発電を実行するための発電プラントである。
【０００３】
コンバインドサイクルプラントでは、夏季などに大気温度が高くなると、排熱回収ボイラの煙突出口から排出される排気ガスの温度が低下する傾向をもっている。これは、大気温度が高くなると、排熱回収ボイラに入るガスタービンの排ガス温度が上昇することで、排熱回収ボイラ出口のガス温度が低下するという熱交換器の特性によるものである。そして、煙突出口から排出される排気ガスの温度が低下すると、煙突から排出される排気ガスの拡散性が低下する。そのため、夏季などの大気温度が高いときであっても、排熱回収ボイラからの排気ガスの温度を制御することで、煙突出口から排出される排気ガスの温度が規制値以上となるような技術が必要となる。
【０００４】
このような問題を解決するものとして、例えば、下記特許文献に記載されたものがある。特許文献に記載された複合発電プラントは、排ガス温度検出器の検出温度が、設定温度以上に保持されるように、蒸気タービン入口の調節弁によってドラム内の圧力を上昇させるものである。
【先行技術文献】
【特許文献】
【０００５】
【特許文献１】特開２０１０−１２１５５９号公報
【発明の概要】
【発明が解決しようとする課題】
【０００６】
上述した特許文献１の複合発電プラントでは、ドラム内の圧力を上昇させることで、排熱回収ボイラの煙突出口から排出される排気ガスの温度を制御している。ところが、蒸気調節弁によってドラム内の圧力を上昇させると、蒸気タービンに供給する蒸気量が大きく低下してしまい、発電効率が低下してしまうおそれがある。
【０００７】
本発明は、上述した課題を解決するものであり、発電効率の低下を抑制しながら排熱回収ボイラから排出される排気ガスの煙突出口温度を所定温度以上に維持することができるコンバインドサイクルプラント、コンバインドサイクルプラントの制御装置、コンバインドサイクルプラントの運転方法を提供することを目的とする。
【課題を解決するための手段】
【０００８】
上記の目的を達成するための本発明のコンバインドサイクルプラントは、圧縮機と燃焼器とタービンを有するガスタービンと、前記ガスタービンからの排気ガスの排熱により蒸気を生成する排熱回収ボイラと、前記排熱回収ボイラにより生成された蒸気により駆動する蒸気タービンと、前記排熱回収ボイラにおける節炭器を迂回して復水を下流側に流すバイパスラインと、前記バイパスラインに設けられる開閉弁と、大気温度が予め設定された所定温度よりも高いときに前記開閉弁を開放する制御装置を備えることを特徴とするものである。
【０００９】
従って、大気温度が高くなると、排熱回収ボイラにおける煙突出口から排出される排気ガスの温度が低下するが、大気温度が所定温度よりも高いときに開閉弁によりバイパスラインを開放することで、復水の一部がバイパスラインに流れて節炭器に流れる復水の流量が減少し、復水による排気ガスの熱回収量が減少して排気ガスの温度の低下が抑制され、排気ガスの温度の低下を規制することができる。その結果、発電効率の低下を抑制しながら、排熱回収ボイラから排出される排気ガスの煙突出口温度を所定温度以上に維持することができる。
【００１０】
本発明のコンバインドサイクルプラントでは、前記制御装置は、前記大気温度の上昇に応じて前記開閉弁の開度を大きくすることを特徴としている。
【００１１】
従って、大気温度の上昇に応じて開閉弁の開度を大きくすることで、大気温度が変動しても、大気温度の変動に合わせてバイパスラインに流れる復水の流量が調整されることとなり、排気ガスの温度を規制値以上に維持することができる。
【００１２】
本発明のコンバインドサイクルプラントでは、前記制御装置は、前記大気温度の運転範囲における一部の領域または全ての領域で前記開閉弁の開度を調整することを特徴としている。
【００１３】
従って、大気温度の一部、または、全ての運転範囲で開閉弁の開度を調整することで、煙突出口の排ガス温度を規制値に維持しながら、排ガス温度制御による発電効率の低下を抑制することができる。
【００１４】
本発明のコンバインドサイクルプラントでは、前記節炭器を通過した復水の一部を前記節炭器の上流側に戻す再循環ラインが設けられ、前記バイパスラインは、前記再循環ラインによる復水の戻り位置より上流側と前記再循環ラインによる復水の取込位置より下流側とを接続することを特徴としている。
【００１５】
従って、節炭器で熱回収して高温となった復水の一部を再循環ラインにより節炭器の上流側に戻すことで、復水の低温化を抑制することができ、排気ガスに含有する水分の液滴化による排熱回収ボイラの内部での錆の発生を防止することができると共に、再循環ラインを流れる復水の温度を大きく低下させることなく、排気ガスの温度の低下を抑制することができる。
【００１６】
本発明のコンバインドサイクルプラントでは、前記節炭器に流入する復水の温度を検出する復水温度検出器が設けられ、前記制御装置は、前記大気温度が前記所定温度よりも高いときに、前記復水温度検出器が検出した復水温度に応じて前記再循環ラインにより戻す復水の流量を増やすように調整することを特徴としている。
【００１７】
従って、節炭器入口に供給される復水温度を上昇させることができ、節炭器に供給する復水の流量低下を抑制しながら、排気ガスの温度の低下を抑制することができる。
【００１８】
本発明のコンバインドサイクルプラントでは、前記節炭器に流入する復水の流量を検出する復水流量検出器が設けられ、前記制御装置は、前記大気温度が前記所定温度よりも高いときに、前記復水流量検出器が検出した復水流量に応じて前記再循環ラインにより戻す復水の流量を増やすように調整することを特徴としている。
【００１９】
従って、節炭器入口に供給される復水温度を上昇させることができ、節炭器に供給する復水の流量低下を抑制しながら、排気ガスの温度の低下を抑制することができる。
【００２０】
また、本発明のコンバインドサイクルプラントの制御装置は、ガスタービンと排熱回収ボイラと蒸気タービンとを備えるコンバインドサイクルプラントにおいて、前記排熱回収ボイラにおける節炭器を迂回して復水を流すバイパスラインと、前記バイパスラインに設けられる開閉弁とが設けられ、大気温度が予め設定された所定温度よりも高いときに前記開閉弁を開放する、ことを特徴とするものである。
【００２１】
従って、大気温度が所定温度よりも高いときに開閉弁によりバイパスラインを開放することで、復水の一部がバイパスラインに流れて節炭器に流れる復水の流量が減少し、復水による排気ガスの熱回収量が減少して排気ガスの温度の低下が抑制され、排気ガスの温度を規制値以上に維持することができる。その結果、発電効率の低下を抑制しながら、熱回収ボイラから排出される排気ガスの煙突出口温度を所定温度以上に維持することができる。
【００２２】
また、本発明のコンバインドサイクルプラントの運転方法は、ガスタービンと排熱回収ボイラと蒸気タービンとを備えるコンバインドサイクルプラントにおいて、大気温度が予め設定された所定温度よりも高いときに復水を前記排熱回収ボイラにおける節炭器を迂回して流す、ことを特徴とするものである。
【００２３】
従って、大気温度が所定温度よりも高いときに開閉弁によりバイパスラインを開放することで、復水の一部がバイパスラインに流れて節炭器に流れる復水の流量が減少し、復水による排気ガスの熱回収量が減少して排気ガスの温度の低下が抑制され、排気ガスの温度を規制値以上に維持することができる。その結果、発電効率の低下を抑制しながら、排熱回収ボイラから排出される排気ガスの煙突出口温度を所定温度以上に維持することができる。
【発明の効果】
【００２４】
本発明のコンバインドサイクルプラント、コンバインドサイクルプラントの制御装置、コンバインドサイクルプラントの運転方法によれば、大気温度が所定温度よりも高いときに開閉弁によりバイパスラインを開放するので、発電効率の低下を抑制しながら、排熱回収ボイラから排出される排気ガスの煙突出口温度を所定温度以上に維持することができる。
【図面の簡単な説明】
【００２５】
【図１】図１は、本実施形態のコンバインドサイクルプラントを表す概略構成図である。
【図２】図２は、本実施形態のコンバインドサイクルプラントの制御装置を表す概略構成図である。
【図３】図３は、本実施形態の大気温度に対する煙突出口排気ガス温度を表すグラフである。
【図４】図４は、本実施形態の大気温度に対するバイパス流量を表すグラフである。
【図５】図５は、本実施形態における変形例の大気温度に対する煙突出口排気ガス温度を表すグラフである。
【図６】図６は、本実施形態における変形例の大気温度に対するバイパス流量を表すグラフである。
【発明を実施するための形態】
【００２６】
以下、添付図面を参照して、本発明に係るコンバインドサイクルプラント、コンバインドサイクルプラントの制御装置、コンバインドサイクルプラントの運転方法の好適な実施形態を詳細に説明する。なお、この実施形態により本発明が限定されるものではなく、また、実施形態が複数ある場合には、各実施形態を組み合わせて構成するものも含むものである。
【００２７】
図１は、本実施形態のコンバインドサイクルプラントを表す概略構成図、図２は、本実施形態のコンバインドサイクルプラントの制御装置を表す概略構成図である。
【００２８】
本実施形態において、図１に示すように、コンバインドサイクルプラント１０は、ガスタービン１１と、排熱回収ボイラ（ＨＲＳＧ）１２と、蒸気タービン１３とを備えている。
【００２９】
ガスタービン１１は、圧縮機２１と、燃焼器２２と、タービン２３とを有しており、圧縮機２１とタービン２３は、回転軸（ロータ）２４により一体回転可能に連結されている。圧縮機２１は、空気取り込みライン２５から取り込んだ空気を圧縮する。燃焼器２２は、圧縮機２１から圧縮空気供給ライン２６を通して供給された圧縮空気と、燃料ガス供給ライン２７から供給された燃料ガスとを混合して燃焼する。タービン２３は、燃焼器２２から燃焼ガス供給ライン２８を通して供給された燃焼ガスにより回転駆動する。発電機２９は、圧縮機２１及びタービン２３と同軸上に設けられており、タービン２３が回転することで発電することができる。
【００３０】
排熱回収ボイラ１２は、ガスタービン１１（タービン２３）から排気ガス排出ライン３１を介して排出された排気ガスの排熱によって蒸気を発生させるものである。排熱回収ボイラ１２は、過熱器３２と、蒸発器３３と、節炭器３４とを有している。排熱回収ボイラ１２のガス入口から導入されたガスタービン１１からの排気ガスが内部を上昇することで、過熱器３２、蒸発器３３、節炭器３４の順に熱回収を行うことで蒸気を生成する。
【００３１】
そのため、節炭器３４で加熱された給水は、給水ライン３６により蒸気ドラム３７に送られ、蒸気ドラム３７内の給水は、ドラム降水ライン３８及びドラム上昇ライン３９を介して蒸発器３３との間で循環することで加熱されて蒸気を生成する。蒸気ドラム３７で生成された蒸気は、飽和蒸気ライン４０を介して過熱器３２に送られ、ここで過熱される。そして、給水ライン３６に流量調整弁４１が設けられている。
【００３２】
蒸気タービン１３は、排熱回収ボイラ１２により生成された蒸気により駆動するものであり、タービン４２を有し、このタービン４２と同軸上に発電機４３が連結されている。過熱器３２で生成された蒸気は、蒸気供給ライン４４を介してタービン４２に供給され、発電機４３は、このタービン４２が回転することで発電することができる。そして、蒸気供給ライン４４に流量調整弁４５が設けられている。
【００３３】
タービン４２から排出された蒸気は、蒸気排出ライン４６を介して復水器４７に供給される。復水器４７は、回収された蒸気を冷却水（海水等）により凝縮させて水（復水）に戻す機能を有するものである。この復水器４７は、生成した復水を復水供給ライン４８を介して節炭器３４に送る。そして、復水供給ライン４８に復水ポンプ４９が設けられている。
【００３４】
そのため、コンバインドサイクルプラント１０を運転するとき、ガスタービン１１にて、圧縮機２１は、空気を圧縮し、燃焼器２２は、供給された圧縮空気と燃料ガスとを混合して燃焼する。すると、タービン２３は、燃焼器２２から供給された燃焼ガスにより回転駆動し、発電機２９が発電を行う。また、ガスタービン１１（タービン２３）から排出された排気ガスは、排熱回収ボイラ１２に送られる。節炭器３４で加熱された給水は、蒸気ドラム３７に送られ、蒸発器３３との間で循環することで加熱されて蒸気を生成する。蒸気ドラム３７で生成された蒸気は、過熱器３２に送られて過熱され過熱蒸気が蒸気タービン１３に送られる。タービン４２は、この過熱蒸気により回転駆動し、発電機４３が発電を行う。タービン４２で使用された蒸気は、冷却水により冷却されて復水となり、復水ポンプ４９により節炭器３４に戻される。
【００３５】
ところで、このように構成されたコンバインドサイクルプラント１０では、夏季などに大気温度が高くなると、排熱回収ボイラ１２の煙突出口から排出される排気ガスの温度が低下する傾向をもっている。煙突出口から排出される排気ガスの温度が低下すると、煙突から排出される排気ガスの拡散性が低下する。そのため、大気温度が変動しても、排熱回収ボイラ１２の煙突から排出される排気ガスの温度を規制値以上に維持する必要がある。
【００３６】
図１及び図２に示すように、排熱回収ボイラ１２は、排気ガスの流れ方向に向けて過熱器３２（二次過熱器３２ａ、一次過熱器３２ｂ）、蒸発器３３、節炭器３４の順に配置されている。節炭器３４は、排気ガスの流れ方向における最下流側に配置されており、節炭器３４で熱回収された排気ガスは、煙突（図示略）から外部（大気）に放出される。節炭器３４は、基端部側に復水供給ライン４８の下流側が接続され、先端部側に給水ライン３６の上流側が接続されている。
【００３７】
排熱回収ボイラ１２にて、排気ガスの流れ方向における最後部で、節炭器３４により熱回収された後の排気ガスの温度が低下すると、この排気ガスに含有する水分が液滴となり、節炭器３４の熱交換器などに付着し、錆が発生するおそれがある。そのため、節炭器３４で熱回収して高温となった復水を節炭器３４の入口側に戻す節炭器再循環ライン５１が設けられている。この節炭器再循環ライン５１は、一端部が給水ライン３６に接続され、他端部が復水供給ライン４８に接続されている。そして、節炭器再循環ライン５１は、節炭器再循環ポンプ５２と流量調整弁５３が設けられている。そのため、節炭器再循環ポンプ５２を駆動することで、節炭器３４で熱回収した復水の一部を給水ライン３６から節炭器再循環ライン５１を通して復水供給ライン４８に戻すことができる。このとき、流量調整弁５３の開度を変更することで、節炭器再循環ライン５１を通した復水の戻り量を調整することができる。
【００３８】
また、排熱回収ボイラ１２にて、節炭器３４に供給される復水を節炭器３４を迂回して下流側に流す復水バイパスライン５４が設けられている。この復水バイパスライン５４は、一端部が復水供給ライン４８に接続され、他端部が給水ライン３６に接続されている。この場合、復水バイパスライン５４は、一端部が節炭器再循環ライン５１の接続位置（復水の戻り位置）より上流側の復水供給ライン４８に接続され、他端部が節炭器再循環ライン５１の接続位置（復水の取込位置）より下流側の給水ライン３６に接続される。そして、復水バイパスライン５４は、流量調整弁（開閉弁）５５が設けられている。そのため、流量調整弁５５を開放することで、節炭器３４へ供給される復水の一部を復水供給ライン４８から復水バイパスライン５４を通して給水ライン３６に迂回させることができる。このとき、流量調整弁５５の開度を変更することで、復水バイパスライン５４を通した復水の迂回量を調整することができる。
【００３９】
そのため、制御装置６０は、節炭器３４に供給される復水温度が予め設定された第１所定復水温度よりも低いときに、節炭器再循環ライン５１に設けられた節炭器再循環ポンプ５２を駆動すると共に、流量調整弁５３を開放する。このとき、制御装置６０は、復水温度が低いほど、節炭器再循環ポンプ５２の回転数を高くすると共に流量調整弁５３の開度を大きくする。即ち、節炭器３４に復水を供給する復水供給ライン４８を流れる復水温度を検出する復水温度検出器６１が設けられ、この復水温度検出器６１は、計測した復水温度を制御装置６０に出力する。なお、この復水温度検出器６１は、復水供給ライン４８における節炭器再循環ライン５１の接続位置より下流側における復水の温度を計測するものである。
【００４０】
また、制御装置６０は、大気温度が予め設定された所定大気温度よりも高いときに、復水バイパスライン５４に設けられた流量調整弁５５を開放する。このとき、制御装置６０は、大気温度が高いほど流量調整弁５５の開度を大きくする。ここで、大気温度とは、ガスタービン１１にて、圧縮機２１が空気取り込みライン２５から取り込んだ空気の温度（ガスタービン吸気温度）である。即ち、空気取り込みライン２５を流れる吸気温度を検出する空気温度検出器６２が設けられ、この空気温度検出器６２は、計測した吸気温度を制御装置６０に出力する。
【００４１】
図３は、本実施形態の大気温度に対する煙突出口排気ガス温度を表すグラフ、図４は、本実施形態の大気温度に対するバイパス流量を表すグラフである。
【００４２】
本実施形態にて、制御装置６０は、大気温度が所定大気温度よりも高いときに、復水バイパスライン５４の流量調整弁５５を開放する。ここでは、図３に示すように、大気温度に対して煙突出口排気ガス温度が規制値以上となるような大気温度−排気ガス温度マップが設定されている。そして、図４に示すように、大気温度に対して煙突出口排気ガス温度が規制値以上となるように、大気温度に対するバイパス流量を設定する大気温度−バイパス流量マップが設定されている。
【００４３】
図３の大気温度−排気ガス温度マップにて、大気温度における排熱回収ボイラ１２の運転範囲は、大気温度Ｔ１℃からＴ３℃であり、大気温度Ｔ２℃が計画大気温度となっている。ここで、大気温度Ｔ１℃からＴ２℃の運転範囲では、大気温度の上昇に伴って排気ガス温度が低下し、計画大気温度Ｔ２℃にて、規制値となる。そして、大気温度Ｔ２℃からＴ３℃の運転範囲では、大気温度の上昇に伴って排気ガス温度が低下し、点線で示すように、規制値より低温となってしまうことから、この一部の運転範囲で、制御装置６０が流量調整弁５５の開度を調整することで、復水バイパスライン５４へのバイパス流量を調整する。ここで、上述した所定大気温度とは、計画大気温度Ｔ２℃である。
【００４４】
即ち、図４の大気温度−バイパス流量マップにて、大気温度Ｔ２℃からＴ３℃の運転範囲にて、大気温度の上昇に伴ってバイパス流量を増加していく。すると、復水供給ライン４８から復水バイパスライン５４へのバイパス流量が増加する一方、復水供給ライン４８から節炭器３４へ供給される復水流量が減少する。そのため、節炭器３４は、復水による排気ガスの熱回収量が減少することで、排気ガスの温度の低下が抑制され、排気ガスの温度が規制値以上に維持される。
【００４５】
なお、大気温度−排気ガス温度マップと大気温度−バイパス流量マップは、上述した構成に限定されるものではない。図５は、本実施形態における変形例の大気温度に対する煙突出口排気ガス温度を表すグラフ、図６は、本実施形態における変形例の大気温度に対するバイパス流量を表すグラフである。
【００４６】
本実施形態にて、制御装置６０は、大気温度が所定大気温度よりも高いときに、復水バイパスライン５４の流量調整弁５５を開放する。図５の大気温度−排気ガス温度マップにて、大気温度における排熱回収ボイラ１２の運転範囲は、大気温度Ｔ１℃からＴ３℃であり、大気温度Ｔ１℃が計画大気温度となっている。ここで、大気温度Ｔ１℃からＴ３℃の全ての運転範囲で、制御装置６０が流量調整弁５５の開度を調整することで、復水バイパスライン５４へのバイパス流量を調整する。ここで、上述した所定大気温度とは、計画大気温度Ｔ１である。
【００４７】
即ち、図６の大気温度−バイパス流量マップにて、大気温度Ｔ１℃からＴ３℃の全ての運転範囲にて、大気温度の上昇に伴ってバイパス流量を増加していく。すると、復水供給ライン４８から復水バイパスライン５４へのバイパス流量が増加する一方、復水供給ライン４８から節炭器３４へ供給される復水流量が減少する。そのため、節炭器３４は、復水による排気ガスの熱回収量が減少することで、排気ガスの温度の低下が抑制され、排気ガスの温度が規制値以上に維持される。
【００４８】
このように構成されたコンバインドサイクルプラント１０にて、図１及び図２に示すように、ガスタービン１１から排出された排気ガスが排熱回収ボイラ１２に送られ、過熱器３２、蒸発器３３、節炭器３４で熱回収された後、煙突から外部に放出される。このとき、制御装置６０は、大気温度（ガスタービン吸気温度）を常時監視しており、大気温度が所定大気温度よりも高いときに、流量調整弁５５を開放すると共にその開度を調整する。即ち、制御装置６０は、図４（または、図６）の大気温度−バイパス流量マップを用い、現在の大気温度に応じたバイパス流量を設定する。ここで、現在の大気温度が所定大気温度（計画大気温度）よりも低ければ、何もしない。一方、現在の大気温度が所定大気温度以上であれば、設定されたバイパス流量に応じて流量調整弁５５の開度を設定する。この場合、流量調整弁５５の開度とバイパス流量との関係を表すマップを予め設定しておき、このマップを用いてバイパス流量に応じた流量調整弁５５の開度を設定することが望ましい。
【００４９】
すると、復水供給ライン４８から復水バイパスライン５４への復水のバイパス流量が増加する一方、復水供給ライン４８から節炭器３４へ供給される復水流量が減少する。そのため、節炭器３４は、復水による排気ガスの熱回収量が減少することで、排気ガスの温度の低下が抑制される。即ち、図３（または、図４）に示すように、大気温度Ｔ２℃からＴ３℃の運転範囲（または、大気温度Ｔ１℃からＴ３℃の運転範囲）で、復水バイパスライン５４への復水バイパス流量が調整されるため、排熱回収ボイラ１２の煙突から排出される排気ガスの温度が規制値以上に維持される。
【００５０】
なお、上述した実施形態にて、制御装置６０は、大気温度が所定大気温度よりも高いときに、復水バイパスライン５４に設けられた流量調整弁５５の開度を調整するように構成したが、この構成に限定されるものではない。例えば、復水供給ライン４８を流れる復水温度を検出する復水温度検出器６１が設けられており、制御装置６０は、大気温度が所定大気温度よりも高いとき、復水温度検出器６１が検出した復水の温度に応じて節炭器再循環ライン５１に設けられた節炭器再循環ポンプ５２の回転数や流量調整弁５３の開度を調整する。
【００５１】
前述したように、復水温度検出器６１は、節炭器３４に復水供給ライン４８を流れる復水温度を検出し、制御装置６０は、節炭器３４に供給される復水温度が第１所定復水温度になるように、節炭器再循環ポンプ５２の吐出力（回転数）を調整すると共に、流量調整弁５３の開度を調整している。そのため、制御装置６０は、大気温度が所定大気温度よりも高いときに、まず、節炭器３４に供給される復水温度が第１所定復水温度より高い第２所定復水温度になるように、節炭器再循環ポンプ５２の吐出力（回転数）を調整すると共に、流量調整弁５３の開度を調整する。
【００５２】
すると、節炭器再循環ライン５１により節炭器３４の入口側に供給される高温の復水の流量が増加することで、節炭器３４に供給される復水温度が上昇し、排熱回収ボイラ１２の煙突から排出される排気ガスの温度の低下が抑制される。そして、節炭器再循環ポンプ５２の吐出力（回転数）を最大にすると共に、流量調整弁５３の開度を最大にしても、排気ガスの温度の低下を抑制できないとき、次に、制御装置６０は、復水バイパスライン５４に設けられた流量調整弁５５の開度を調整する。
【００５３】
なお、制御装置６０は、復水温度検出器６１が検出した復水温度に応じて節炭器再循環ポンプ５２の吐出力を調整すると共に、流量調整弁５３の開度を調整したが、この構成に限定されるものではない。即ち、復水供給ライン４８を流れる復水流量を検出する流量検出器６３を設け、制御装置６０は、大気温度が所定温度よりも高いとき、節炭器３４に供給される復水流量が所定復水流量になるように、節炭器再循環ポンプ５２の吐出力（回転数）を調整すると共に、流量調整弁５３の開度を調整する。
【００５４】
また、節炭器再循環ライン５１を流れる復水の温度を検出する温度検出器を設け、制御装置６０は、節炭器再循環ライン５１の復水温度が、予め設定された所定温度より低くなると、節炭器再循環ポンプ５２の吐出力や流量調整弁５３の開度を調整したり、流量調整弁５５の開度を調整したりするように構成してもよい。
【００５５】
節炭器３４に供給される復水温度や復水流量に応じて節炭器再循環ポンプ５２の吐出力や流量調整弁５３の開度を調整する場合、復水温度と排気ガス温度との関係や復水流量と排気ガス温度との関係を予め把握してマップしておくことが望ましい。
【００５６】
このように本実施形態のコンバインドサイクルプラントにあっては、圧縮機２１と燃焼器２２とタービン２３を有するガスタービン１１と、ガスタービン１１からの排気ガスの排熱により蒸気を生成する排熱回収ボイラ１２と、排熱回収ボイラ１２により生成された蒸気により駆動する蒸気タービン１３と、排熱回収ボイラ１２における節炭器３４を迂回して下流側に流す復水バイパスライン５４と、復水バイパスライン５４に設けられる流量調整弁５５と、大気温度が所定大気温度よりも高いときに流量調整弁５５を開放する制御装置６０とを設けている。
【００５７】
従って、大気温度が高くなると、排熱回収ボイラ１２における熱回収率が良くなって煙突出口から排出される排気ガスの温度が低下するが、大気温度が所定大気温度よりも高いときに流量調整弁５５により復水バイパスライン５４を開放することで、復水の一部が復水バイパスライン５４に流れて節炭器３４に流れる復水の流量が減少し、復水による排気ガスの熱回収量が減少して排気ガスの温度の低下が抑制され、排気ガスの温度を規制値以上に維持することができる。その結果、発電効率の低下を抑制しながら、排熱回収ボイラ１２から排出される排気ガスの煙突出口温度を所定温度以上に維持することができる。
【００５８】
本実施形態のコンバインドサイクルプラントでは、制御装置６０は、大気温度の上昇に応じて流量調整弁５５の開度を大きくする。従って、大気温度が変動しても、大気温度の変動に合わせて復水バイパスライン５４に流れる復水の流量が調整されることとなり、高精度に排気ガスの温度を規制値以上に維持することができる。
【００５９】
本実施形態のコンバインドサイクルプラントでは、制御装置６０は、大気温度の運転範囲における一部の領域または全ての領域で流量調整弁５５の開度を調整する。従って、大気温度の一部の運転範囲で開閉弁の開度を調整することで、制御範囲が狭くなり、制御を簡素化することができる。また、大気温度の全ての運転範囲で開閉弁の開度を調整することで、排気ガス温度を規制値の近傍に維持することができ、排熱回収ボイラ１２での熱回収効率を向上することができる。
【００６０】
本実施形態のコンバインドサイクルプラントでは、節炭器３４を通過した復水の一部を節炭器３４の上流側に戻す節炭器再循環ライン５１を設け、復水バイパスライン５４により節炭器再循環ライン５１による復水の戻り位置より上流側と節炭器再循環ライン５１による復水の取込位置より下流側とを接続している。従って、節炭器３４で熱回収して高温となった復水の一部を節炭器再循環ライン５１により節炭器３４の上流側に戻すことで、復水の低温化を抑制することができ、排気ガスに含有する水分の液滴化による錆の発生を防止することができる。また、節炭器再循環ライン５１を流れる復水の温度を低下させることなく、排気ガスの温度の低下を抑制することができる。
【００６１】
本実施形態のコンバインドサイクルプラントでは、節炭器３４に流入する復水の温度を検出する復水温度検出器６１を設け、制御装置６０は、大気温度が所定大気温度よりも高いときに、復水温度検出器６１が検出した復水温度に応じて節炭器再循環ライン５１により戻す復水の流量を増やすように調整する。従って、節炭器３４の入口に供給される復水温度を上昇させることができ、節炭器３４に供給する復水の流量低下を抑制しながら、排気ガスの温度の低下を抑制することができる。
【００６２】
また、本実施形態のコンバインドサイクルプラントの制御装置にあっては、大気温度が所定大気温度よりも高いときに流量調整弁５５の開度を調整する。従って、発電効率の低下を抑制しながら、排熱回収ボイラ１２から排出される排気ガスの煙突出口温度を所定温度以上に維持することができる。
【００６３】
また、本実施形態のコンバインドサイクルプラントの運転方法にあっては、大気温度が予め設定された所定大気温度よりも高いときに復水を排熱回収ボイラ１２における節炭器３４を迂回して蒸気を流すようにしている。従って、復水の一部が復水バイパスライン５４に流れることで排気ガスの温度の低下が抑制され、排気ガスの温度を規制値以上に維持することができる。その結果、発電効率の低下を抑制しながら、排熱回収ボイラ１２から排出される排気ガスの煙突出口温度を所定温度以上に維持することができる。
【００６４】
なお、上述した実施形態にて、排熱回収ボイラ１２を過熱器３２と蒸発器３３と節炭器３４とから構成したが、この構成に限定されるものではなく、それぞれ高圧、中圧、低圧に分割して構成してもよいものである。
【００６５】
また、上述した実施形態にて、コンバインドサイクルシステム１０にて、１台のガスタービン１１と１台の蒸気タービン１３を組み合わせたが、回転軸（ロータ）を同軸としても、別軸としてもよい。また、複数台のガスタービン１１と１台の蒸気タービン１３を組み合わせてもよい。
【符号の説明】
【００６６】
１０  コンバインドサイクルプラント
１１  ガスタービン
１２  排熱回収ボイラ
１３  蒸気タービン
２１  圧縮機
２２  燃焼器
２３  タービン
２９，４３  発電機
３２  過熱器
３３  蒸発器
３４  節炭器
３６  給水ライン
３７  蒸気ドラム
４２  タービン
４５  流量調整弁
４７  復水器
４８  復水供給ライン
４９  復水ポンプ
５１  節炭器再循環ライン
５２  節炭器再循環ポンプ
５３  流量調整弁
５４  復水バイパスライン
５５  流量調整弁（開閉弁）
６０  制御装置
６１  復水温度検出器
６２  空気温度検出器
６３  流量検出器
【図１】
0006590650.tif 000002
【図２】
0006590650.tif 000003
【図３】
0006590650.tif 000004
【図４】
0006590650.tif 000005
【図５】
0006590650.tif 000006
【図６】
0006590650.tif 000007